(57)【要約】      （修正有）【課題】投影手段から投影面までの距離、投影面に対する操作者の位置に拘らず容易に操作することができる電子機器を提供する。【解決手段】投影面上の投影画像を含む領域を撮像し、その撮像データを取得する撮像手段と、撮像画像に対する投影画像の大きさから投影手段と投影面との距離を算出する算出手段と、操作者によって遮られる領域の大きさを判定する判定手段とにより、操作者によって遮られる領域の大きさと、プロジェクタ部から投射面までの距離とに応じて、投影面上に投影されるアイコン５０の表示サイズを変更する。【選択図】図３
2011250046.tif 000002
【特許請求の範囲】
【請求項１】
主画像及び副画像を含む映像を投影面上に投影可能な投影手段と、
投影中、前記投影面上の投影画像を含む領域を撮像し、その撮像データを取得する撮像手段と、
前記撮像手段で撮像した撮像画像に対する前記投影画像の大きさから前記投影手段と前記投影面との距離を算出する算出手段と、
前記撮像手段で取得した前記撮像データに基づいて前記投影画像中の操作者によって遮られた領域の大きさを判定する判定手段と、
前記操作者によって遮られた領域の大きさと、前記投影手段から前記投影面までの距離とに応じて、前記投影面上に投影される前記副画像の大きさを変更する変更手段と
を備えていることを特徴とする電子機器。
【請求項２】
前記副画像は前記投影面上に前記主画像とともに投影される、大きさの異なる複数の操作指示画像であることを特徴とする請求項１記載の電子機器。
【請求項３】
前記変更手段は、投影中に前記操作者によって遮られた領域の大きさが変化した場合、その大きさが一定時間に亘って維持されたとき、前記操作指示画像の大きさを前記操作者によって遮られた領域の大きさの変化に応じて変更することを特徴とする請求項２記載の電子機器。
【請求項４】
前記変更手段は、前記主画像に対する前記操作指示画像の大きさに応じて前記投影画像中の前記操作指示画像の位置を変更することを特徴とする請求項２又は３記載の電子機器。
【請求項５】
前記変更手段は、前記投影画像中の前記操作者によって遮られた領域の位置に応じて前記投影画像中の前記操作指示画像の位置を変更することを特徴とする請求項２又は３記載の電子機器。
【請求項６】
請求項１〜５のいずれか１項記載の電子機器は、デジタルカメラである。
【請求項７】
請求項１〜５のいずれか１項記載の電子機器は、携帯電話である。
【請求項８】
請求項１〜５のいずれか１項記載の電子機器は、プロジェクタである。
【発明の詳細な説明】
【技術分野】
【０００１】
この発明は電子機器に関する。
【背景技術】
【０００２】
従来、各種の機能設定を投影画面上に手をかざすことによって行うことができるプロジェクタが知られている（下記公報参照）。
【先行技術文献】
【特許文献】
【０００３】
【特許文献１】特開２００５−１４１１５１号公報
【発明の開示】
【発明が解決しようとする課題】
【０００４】
しかし、上記プロジェクタには次のような問題があった。
【０００５】
プロジェクタから投影面までの距離によっては投影面に投影される操作を指示するための例えば手の影のサイズが小さすぎたり、大きすぎたりするので、プロジェクタの操作が難しい。プロジェクタから投影面までの距離を特定の距離に固定することにより、投影面に投影される操作を指示するための表示のサイズを最適化することは可能であるが、プロジェクタを使用する場所によっては最適な位置にプロジェクタを配置できない。
【０００６】
また、投影面の前で操作をしなければならず、操作者の位置が固定されるので、使い勝手が悪い。
【０００７】
この発明はこのような事情に鑑みてなされたもので、その課題は投影手段から投影面までの距離、投影面に対する操作者の位置に拘らず容易に操作することができる電子機器を提供することである。
【課題を解決するための手段】
【０００８】
上記課題を解決するため請求項１記載の発明は、主画像及び副画像を含む映像を投影面上に投影可能な投影手段と、投影中、前記投影面上の投影画像を含む領域を撮像し、その撮像データを取得する撮像手段と、前記撮像手段で撮像した撮像画像に対する前記投影画像の大きさから前記投影手段と前記投影面との距離を算出する算出手段と、前記撮像手段で取得した前記撮像データに基づいて前記投影画像中の操作者によって遮られた領域の大きさを判定する判定手段と、前記操作者によって遮られた領域の大きさと、前記投影手段から前記投影面までの距離とに応じて、前記投影面上に投影される前記副画像の大きさを変更する変更手段とを備えていることを特徴とする。
【０００９】
請求項２に記載の発明は、請求項１記載の電子機器において、前記副画像は前記投影面上に前記主画像とともに投影される、大きさの異なる複数の操作指示画像であることを特徴とする。
【００１０】
請求項３に記載の発明は、請求項２記載の電子機器において、前記変更手段は、投影中に前記操作者によって遮られた領域の大きさが変化した場合、その大きさが一定時間に亘って維持されたとき、前記操作指示画像の大きさを前記操作者によって遮られた領域の大きさの変化に応じて変更することを特徴とする。
【００１１】
請求項４に記載の発明は、請求項２又は３記載の電子機器において、前記変更手段は、前記主画像に対する前記操作指示画像の大きさに応じて前記投影画像中の前記操作指示画像の位置を変更することを特徴とする。
【００１２】
請求項５に記載の発明は、請求項２又は３記載の電子機器において、前記変更手段は、前記投影画像中の前記操作者によって遮られた領域の位置に応じて前記投影画像中の前記操作指示画像の位置を変更することを特徴とする。
【００１３】
請求項６に記載の発明は、請求項１〜５のいずれか１項記載の電子機器は、デジタルカメラである。
【００１４】
請求項７に記載の発明は、請求項１〜５のいずれか１項記載の電子機器は、携帯電話である。
【００１５】
請求項８に記載の発明は、請求項１〜５のいずれか１項記載の電子機器は、プロジェクタである。
【発明の効果】
【００１６】
この発明によれば、投影手段から投影面までの距離、投影面に対する操作者の位置に拘らず容易に操作することができる。
【図面の簡単な説明】
【００１７】
【図１】図１はこの発明の一実施形態に係るデジタルカメラを示す斜視図である。
【図２】図２はこの発明の一実施形態に係るデジタルカメラのブロック図である。
【図３】図３（ａ）〜（ｃ）は操作者の手及びその影によって遮られた領域と投影面に投影されるアイコンとの関係を説明する図である。
【図４】図４（ａ）〜（ｃ）は操作者及びその影によって遮られた領域と投影面に投影されるアイコンとの関係を説明する図である。
【発明を実施するための形態】
【００１８】
以下、この発明の実施の形態を図面に基づいて説明する。
【００１９】
図１はこの発明の一実施形態に係るデジタルカメラ（電子機器）２を示す斜視図である。
【００２０】
デジタルカメラ２は筐体４を備える。筐体４の前面には、被写体光を入射させる撮像窓１０と、投影光が出る投影窓１２と、被写体に照射する光が出るフラッシュ窓１４とが設けられている。また、筐体４の上面には、電源スイッチ１６と、撮影指示を行うシャッタボタン１８と、被写体の撮像を行う撮像モードと映像の投影を行う投影モードとを切り換えるＰＪボタン２０とが設けられている。シャッタボタン１８をハーフストローク押したときに被写体像の焦点を自動的に調節するＡＦ処理や被写体像の光量を自動的に調節するＡＥ処理が行われ、フルストローク押したときに被写体の撮影が行われる。
【００２１】
図２はこの発明の一実施形態に係るデジタルカメラのブロック図である。
【００２２】
デジタルカメラ２はＣＰＵ２５を備えている。ＣＰＵ２５には、電源スイッチ１６（図１参照）、シャッタボタン１８（図１参照）、ＰＪボタン２０（図１参照）等を有する操作部２６が接続されている。操作部２６の他に、ＣＰＵ２５には、ＬＣＤ表示部２２の表示を制御する表示制御部２８と、撮影レンズ（図示せず）を介して被写体を撮像して撮像信号を生成するＣＭＯＳ、ＣＣＤ等により構成される撮像素子（撮像手段）３０と、撮像素子３０で取得された撮像データを含む各種のデータを記憶する記憶部３２及びメモリカード３６と、撮像、投影等に関する設定、制御を行うための制御プログラムを格納するプログラム記憶部３４と、記憶部３２やメモリカード３６に記憶されたデータに対応する映像（後述の主画像及び副画像）を投影面（図示せず）に投影するプロジェクタ部（投影手段）３８とが接続されている。
【００２３】
ＬＣＤ表示部２２は、撮像画像や各種のメニュー画面を表示する表示モニタとして機能する他、撮像時に被写体のスルー画像を表示する電子ファインダとして機能する。
【００２４】
メモリカード３６は例えばフラッシュメモリなどの不揮発性メモリによって構成される。
【００２５】
撮像素子３０は映像の投影中、投影画像を含む領域の静止画または動画を撮像し、撮像データを取得する。
【００２６】
主画像４０（図３参照）は投影面上に投影される主たる画像（例えば会議に用いる資料の映像）である。
【００２７】
副画像は投影面上に主画像４０とともに投影される、大きさの異なる複数のアイコン（操作指示画像）５０である（図３参照）。
【００２８】
ＣＰＵ２５は、撮像素子３０で撮像した撮像画像に対する投影画像１００中の主画像４０の大きさからプロジェクタ部３８から投影面までの距離を算出する算出手段、撮像素子３０で取得した撮像データに基づいて投影画像１００中の操作者によって遮られた領域（例えば手やその影によって遮られる領域）の大きさを判定する判定手段、操作者によって遮られた領域の大きさとプロジェクタ部３８から投影面までの距離とに応じて投影面上に投影されるアイコン５０の大きさを変更する変更手段として機能する。
【００２９】
また、変更手段は、投影中に操作者の影の大きさが変化した場合、その大きさが一定時間に亘って維持されたとき、アイコン５０の大きさを操作者の影の大きさの変化に応じて変更する。
【００３０】
更に、変更手段は、主画像４０に対するアイコン５０の大きさに応じて投影画像１００中のアイコン５０の位置を変更する。
【００３１】
また、変更手段は、投影画像１００中の操作者によって遮られた領域の位置に応じて投影画像１００中のアイコン５０の位置を変更する。
【００３２】
次に、図３を参照して操作者によって遮られた投射画像１００中の領域とアイコン５０との関係を説明する。
【００３３】
図３（ａ）〜（ｃ）は操作者によって遮られた投影画像１００中の領域とアイコン５０との関係を説明する図である。
【００３４】
図３（ａ）では操作者の手Ｈの影Ｓによって投影画像１００中のアイコン５０の領域の一部が遮られている。
【００３５】
以下、図３（ａ）に示す状態を基準の状態として説明する。
【００３６】
図３（ｂ）ではプロジェクタ部３８から投射面までの距離は図３（ａ）と同じであるが、操作者が図３（ａ）に示す状態のときより投射面に近づいている。したがって、図３（ｂ）の投影画像１００と図３（ａ）の投影画像１００とは同じ大きさである。
【００３７】
図３（ｂ）の操作者の手Ｈの影Ｓの大きさは、図３（ａ）の操作者の手Ｈの影Ｓの大きさより小さくなる。すなわち、投影画像１００中のアイコン５０を遮る領域の割合が図３（ａ）に示す状態のときより小さくなる。このとき、ＣＰＵ２５は図３（ｂ）のアイコン５０の表示サイズを図３（ａ）のアイコン５０の表示サイズより小さくする（図３（ｂ）参照）。また、ＣＰＵ２５は図３（ｂ）に示すようにアイコン５０の表示数を増やす。
【００３８】
図３（ｃ）ではプロジェクタ部３８から投射面までの距離が図３（ａ）と比べて短いが、プロジェクタ部３８と操作者との距離が図３（ａ）と同じである。したがって、図３（ｃ）の投影画像１００は図３（ａ）の投影画像１００より小さい。
【００３９】
図３（ｃ）の操作者の手Ｈの影Ｓの大きさは、図３（ａ）の操作者の手Ｈの影Ｓの大きさと同じである。すなわち、投影画像１００中のアイコン５０を遮る領域の割合が図３（ａ）に示す状態より大きくなる。このとき、ＣＰＵ２５は図３（ｃ）のアイコン５０の表示サイズを図３（ａ）のアイコン５０の表示サイズより小さくする（図３（ｃ）参照）。また、ＣＰＵ２５は図３（ｃ）に示すようにアイコン５０の表示数を減らす。
【００４０】
このとき、アイコン５０の表示サイズに応じてアイコン５０の表示位置を変えてもよい。また、アイコン５０が多数あるときには、表示ページ数を切り替える図柄（１コマ送りを意味する三角形状のアイコン）を用いて複数のアイコン５０を切り替えてもよい。
【００４１】
また、投影中、操作者の手の影（操作者によって遮られた領域）の位置に応じてアイコン５０を表示する位置を変更するようにしてもよい。例えば操作者が投影画像１００の左側（投影面から見て左側）に位置しているときには投影画像１００の左側にアイコン５０を表示させ、操作者が投影画像１００の右側に位置しているときには投影画像１００の右側にアイコン５０を表示させる。
【００４２】
この実施形態によれば、操作者によって遮られる領域の大きさと、プロジェクタ部３８から投影面までの距離に応じてアイコン５０の表示サイズを変更するようにしたので、プロジェクタ部３８から投影面までの距離、投影面に対する操作者の位置に拘らずプロジェクタ３８を容易に操作することができる。なお、投影画像１００を遮るのは手に限られるものではなく、操作者が持つ例えば棒であってもよい。
【００４３】
なお、上記実施形態では、電子機器としてデジタルカメラ２を一例として説明したが、これに限られるものではなく、例えば携帯電話、プロジェクタでもよい。
【００４４】
次に、比較例として図４を参照してプロジェクタ３８と投射面と操作者Ｍとの位置関係により、操作者Ｍ及びその影Ｓによって投影画像１００中の遮られる領域が変わることを説明する。
【００４５】
図４（ａ）〜（ｃ）は操作者Ｍによって遮られた投影画像１００中の領域とアイコンとの関係を説明する図である。
【００４６】
図４（ａ）では操作者Ｍによって投影画像１００の領域の一部が遮られている。
【００４７】
以下、図４（ａ）に示す状態を基準の状態として説明する。
【００４８】
図４（ｂ）ではプロジェクタ部３８０から投射面までの距離が図４（ａ）と同じであるが、操作者Ｍが図４（ａ）に示す状態より投射面に近づいている。
【００４９】
図４（ｂ）の投影画像１００と図４（ａ）の投影画像１００とは同じ大きさであるが、図４（ｂ）では操作者Ｍが図４（ａ）より投射面に近づいているため、投影画像１００に対する操作者Ｍの影Ｓによって投影画像１００中の遮られる領域の割合が図４（ａ）に示す状態のときより小さい。
【００５０】
図４（ｃ）ではプロジェクタ部３８０から投射面までの距離が図４（ａ）と比べて短いが、プロジェクタ部３８０から操作者Ｍまでの距離は図４（ａ）と同じである。
【００５１】
図４（ｃ）の操作者Ｍ及びその影Ｓの大きさは図４（ａ）と同じであるが、投影画像１００は図４（ａ）の投影画像１００より小さいため、投影画像１００に対する操作者Ｍの影Ｓによって投影画像１００中の遮られる領域の割合が大きくなる。
【００５２】
すなわち、プロジェクタ部３８０、投射面、操作者Ｍの三者の位置関係により、操作者Ｍ及びその影Ｓが投影画像１００を遮る割合が変わるので、アイコン５０の表示サイズを最適化することは難しいことがわかる。
【符号の説明】
【００５３】
２：デジタルカメラ（電子機器）、２５：ＣＰＵ、３０：撮像素子（撮像手段）、３８：プロジェクタ部（投影手段）、４０：投影画像、５０：アイコン（操作指示画像）、１００：投影画像。
【図１】
2011250046.tif 000003
【図２】
2011250046.tif 000004
【図３】
2011250046.tif 000005
【図４】
2011250046.tif 000006